(57)【特許請求の範囲】
【請求項１】
製氷用水を貯留する貯水容器と、
前記貯水容器に連通し、前記貯水容器から供給された製氷用水を自動製氷機の製氷部に配置された製氷皿へ供給する給水管と、
該給水管内に挿入支持される整流体とを備え、
前記整流体が支持された状態において前記整流体と前記給水管の内壁との間の空隙が前記製氷用水の流下を許容する製氷用水流入路および製氷用水通路として形成され、
前記整流体は、前記製氷用水通路の上面を覆うように張り出すカバー部を有し、
前記給水管の内壁に前記カバー部を掛止して支持する支持部が形成され、
前記カバー部が、前記給水管の内壁に当接されないように支持されることを特徴とする冷蔵庫用自動製氷装置の給水装置。
【請求項２】
前記整流体は、前記整流体長手方向に延設されるリブを有し、
該リブにより前記製氷用水通路を区画するようにしたことを特徴とする請求項１に記載の冷蔵庫用自動製氷装置の給水装置。
【請求項３】
貯水容器に圧縮空気を供給するポンプ装置を備え、
前記貯水容器は、
上方に開口する開口部を有する容器本体と、
該容器本体の内部空間を、製氷用水を貯留する主タンク部と、自動製氷装置の製氷皿に供給すべき予め定める要領の製氷用水を貯留する計量タンク部とに区画し、前記主タンク部と前記計量タンク部とに連通する供給孔が形成される仕切り体と、
前記容器本体の開口部に取り付けられ前記容器本体の開口部を塞ぐ蓋体と、
前記計量タンク部の製氷用水の水位に応じて前記供給孔を開閉可能に設けられるフロート体と、
前記計量タンク部に連通する圧縮空気導入部と、
を有し、
前記給水管は前記計量タンク部に連通する
ことを特徴とする請求項１又は２に記載の冷蔵庫用自動製氷装置の給水装置。
【請求項４】
前記貯水容器を取り出し自在に収容する貯水容器収容部が冷蔵室に形成され、前記貯水容器が、前記貯水容器が、前記貯水容器収容部に収容されたことを特徴とする請求項１乃至請求項３のいずれかに記載の冷蔵庫用自動製氷装置の給水装置を備えた冷蔵庫。
【発明の詳細な説明】
【技術分野】
【０００１】
本発明は、製氷用水を貯留する貯水容器が前記製氷用水の凍結しない冷却温度領域に配置され、氷結温度に保たれた冷凍温度領域に自動製氷機の製氷皿が配置され、前記貯水容器から供給された製氷用水を前記製氷皿内で凍結させる冷蔵庫用自動製氷装置に関し、特に、前記貯水容器を含む給水装置に関する。
【背景技術】
【０００２】
冷蔵庫内に設置した貯水容器から自動製氷機の製氷皿へ製氷用水を供給する自動製氷機付き冷蔵庫の貯水装置として、貯水容器の製氷用水を冷蔵室と冷凍室を区画する断熱仕切り壁を垂直状に貫通する給水管を通して製氷皿へ供給するものがある（特許文献１参照）。
【０００３】
この貯水容器内は上下二重構造になっていて、上部が複数回の製氷に要する量の製氷用水を貯留する容積の主タンク部であり、その下部が１回の製氷に要する製氷用水を貯留する計量タンク部であり、主タンク部の底に製氷用水を計量タンク部へ供給する供給孔を設け、計量タンク部の底には前記給水管の真上の位置に給水口を備え、この給水口には開閉する開閉弁を備える。前記給水管の周囲にはソレノイドが配置され、このソレノイドの通電によって上昇し、前記開閉弁を開く作動部材が収容された構成が示されている。
【先行技術文献】
【特許文献】
【０００４】
【特許文献１】特開２００５−１２７６８６号公報
【発明の概要】
【発明が解決しようとする課題】
【０００５】
特許文献１のものは、ソレノイドの通電によって上昇し、前記開閉弁を開くと共に、作動部材の周囲と給水管との間に製氷用水の流下通路が形成され、ソレノイドの非通電状態では、作動部材の上部材が前記給水管の入口部に支えられ、前記給水管の入口部を閉じた状態である。このため、ソレノイドの非通電状態では、冷凍室の冷気が作動部材の周囲と給水管との間の製氷用水の流下通路を通って上昇し、貯水容器が冷凍温度に晒されることはない。
【０００６】
しかし、計量タンク部の製氷用水を前記給水管へ自然流下させるための機構が複雑化し、コストアップになると共に、貯水容器内に開閉弁が存在するため、この部分を洗浄する際の分解と組み立て作業が複雑になり、洗浄も面倒である。
【０００７】
本発明は、上記の点に鑑み、前記給水管内に、ソレノイドとそれによって上下作動する作動部材を設けない、新規な製氷用水の給水装置によって、冷蔵室と冷凍室を区画する断熱仕切り壁を垂直状に貫通する給水管から冷凍室の氷点下の冷気が上昇して、貯水容器内の水が凍結することを防止する技術を提供する。
【課題を解決するための手段】
【０００８】
本発明は、製氷用水を貯留する貯水容器と、前記貯水容器に連通し、前記貯水容器から供給された製氷用水を自動製氷機の製氷部に配置された製氷皿へ供給する給水管と、  該給水管内に挿入支持される整流体とを備え、前記整流体が支持された状態において前記整流体と前記給水管の内壁との間の空隙が前記製氷用水の流下を許容する製氷用水流入路および製氷用水通路として形成され、前記整流体は、前記製氷用水通路の上面を覆うように張り出すカバー部を有し、前記給水管の内壁に前記カバー部を掛止して支持する支持部が形成され、前記カバー部が、前記給水管の内壁に当接されないように支持されることを特徴とする。
【００１０】
本発明は、前記整流体は、前記整流体長手方向に延設されるリブを有し、該リブにより前記製氷用水通路を区画するようにしたことを特徴とする。
【００１１】
本発明は、貯水容器に圧縮空気を供給するポンプ装置を備え、前記貯水容器は、上方に開口する開口部を有する容器本体と、該容器本体の内部空間を、製氷用水を貯留する主タンク部と、自動製氷装置の製氷皿に供給すべき予め定める要領の製氷用水を貯留する計量タンク部とに区画し、前記主タンク部と前記計量タンク部とに連通する供給孔が形成される仕切り体と、前記容器本体の開口部に取り付けられ前記容器本体の開口部を塞ぐ蓋体と、前記計量タンク部の製氷用水の水位に応じて前記供給孔を開閉可能に設けられるフロート体と、前記計量タンク部に連通する圧縮空気導入部と、を有し、前記給水管は前記計量タンク部に連通することを特徴とする。
【００１２】
本発明は、前記貯水容器を取り出し自在に収容する貯水容器収容部が冷蔵室に形成され、前記貯水容器が、前記貯水容器収容部に収容された冷蔵庫であることを特徴とする。
【発明の効果】
【００１３】
本発明によれば、給水管内に挿入支持される整流体を備え、当該整流体は前記製氷用水通路の上面を覆うように張り出すカバー部を有し、前記給水管の内壁に前記カバー部を掛止して支持する支持部が形成され、前記カバー部が、前記給水管の内壁に当接されないよう支持されることにより、前記整流体が支持された状態において前記整流体と前記給水管の内壁との間の空隙が前記製氷用水を流下させるための製氷用水流入路および製氷用水通路として形成したので、給水管内の空間が整流体によって制限されるため、製氷部から貯水容器への冷気の流入が抑制されて貯水容器内の製氷用水の凍結を防止することができ、かつ、整流体は当該支持部に単純に掛止されるだけの構成であるため、取り付けおよび取り外しが容易となる結果、給水管、整流体に対する洗浄作業を容易にすることができる。
【００１５】
本発明によれば、整流体の長手方向に延設されるリブを形成し、該リブにより前記製氷用水路を区画するようにしたので、給水管内の整流体の周囲に均等に並列する製氷用水路を形成することができ、氷点下の冷気の上昇の抑制効果と、製氷用水のスムースな流下の両方を同時に達成できる。
【図面の簡単な説明】
【００１６】
【図１】本発明に係る自動製氷装置の給水装置を備えた第１実施形態の冷蔵庫１の正面図である。
【図２】冷蔵庫１の内部構成を説明するための正面図である。
【図３】冷蔵庫１の縦断側面図である。
【図４】本発明に係る給水装置と自動製氷機との関係を説明するための断面斜視図である。
【図５】本発明に係る給水装置の貯水容器のスライド構成を説明するための断面斜視図である。
【図６】本発明に係る貯水容器の外観斜視図である。
【図７】本発明に係る貯水容器の内部構成を説明するための縦断側面図である。
【図８】本発明に係る貯水容器の内部構成を説明するため供給孔部分を断面で示す縦断側面斜視図である。
【図９】本発明に係る貯水容器の内部構成を説明するため供給孔部分を断面で示す縦断側面図である。
【図１０】本発明に係る貯水容器の分解図斜視図である。
【図１１】本発明に係る貯水容器の容器本体の上面斜視図である。
【図１２】本発明に係る貯水容器の容器本体の平面図である。
【図１３】本発明に係る貯水容器の仕切り体の一方向からの斜視図である。
【図１４】本発明に係る貯水容器の仕切り体の他の方向からの斜視図である。
【図１５】本発明に係る貯水容器の仕切り体の下方からの斜視図である。
【図１６】本発明に係る貯水容器の容器本体内に仕切り体を挿入した状態の上面斜視図である。
【図１７】（Ａ）は本発明に係る貯水容器の容器本体内に仕切り体を挿入した状態の平面図であり、（Ｂ）は（Ａ）のＣ円の拡大図である。
【図１８】本発明に係る貯水容器のフロート体の斜視図である。
【図１９】本発明に係る給水装置のフロート体と障壁の関係を説明する供給孔部分の縦断側面図である。
【図２０】本発明に係る整流体の配設状態を示す断面図である。
【図２１】本発明に係る整流体の斜視図である。
【図２２】本発明に係る給水管の上面斜視図である。
【図２３】本発明に係る給水管および整流体の横断面図である。
【発明を実施するための形態】
【００１７】
本発明は、主タンク部の製氷用水を自然流下にて計量タンク部に供給する給水装置であって、計量タンク部に貯留された製氷用水をポンプ装置の圧縮空気によって製氷皿へ押し、製氷用水を製氷皿に押し出す間に、主タンク部の製氷用水が計量タンク部へ流下することを低減し、計量タンク部から規定量の製氷用水を円滑に製氷皿へ供給することができる自動製氷装置の給水装置である。
以下、本発明に係る自動製氷装置の給水装置の実施形態を説明する。
【００１８】
［第１実施形態］
図１は本発明に係る自動製氷装置の給水装置を備えた第１実施形態の冷蔵庫１を示す正面図であり、図２は冷蔵庫１の内部構成を説明するための正面図であり、図３は冷蔵庫１の縦断側面図である。
【００１９】
以下、図１を基準として、図１の紙面に平行な方向のうち、図１の上下方向を「上下方向」といい、図１の左右方向を「左右方向」という。また図１の紙面に垂直な方向を「前後方向」として説明する。また説明において、上下方向の一方を「上方」といい、他方を「下方」という。左右方向の一方を「左方」といい、他方を「右方」という。前後方向のうち手前方向を「前方」といい、他方を「後方」という。
【００２０】
冷蔵庫１は、前面に開口部が形成される冷蔵庫本体２内を仕切り壁によって区画して複数の貯蔵室を形成し、これら各貯蔵室の前面は扉で開閉できる構成である。冷蔵庫本体２は外箱２Ａと内箱２Ｂとを有し、外箱２Ａと内箱２Ｂとの間に発泡断熱材２Ｃを充填した断熱構造である。冷蔵庫本体２内には、上から冷蔵室３、冷凍室４、野菜室５の順で各貯蔵室が区画されて設けられる。
【００２１】
冷蔵室３の開口部は、冷蔵庫本体２の一側部に、ヒンジを介して回動自在に取り付けられる冷蔵室扉１０によって開閉される。冷凍室４の開口部は、冷蔵庫本体２の一側部にヒンジを介して回動自在に設けられる扉１２によって開閉可能に形成される。野菜室５の開口部は、野菜室５内に設けられる左右のレールと左右のローラから成る支持装置１８によって前後方向へ引き出し可能に支持される野菜容器１５と、野菜容器１５の前方に設けられる引き出し式扉１１にて閉塞されている。
なお、冷凍室４の開口部は、野菜室５と同様に、冷凍容器、支持装置１８、及び引き出し式扉によって前後方向へ引き出し可能に構成してもよい。
【００２２】
冷蔵庫１は、冷凍サイクルを行う冷媒の圧縮機２０と、冷凍サイクルの冷媒の凝縮器２１と、凝縮器２１の熱によって後述する除霜水を蒸発させる蒸発皿２２とを含む。圧縮機２０、凝縮器２１、蒸発皿２２は、冷蔵庫本体２の下部に設けられる機械室２３に設置される。蒸発皿２２は、凝縮器２１上に載置され冷蔵庫本体２の前面下部から前方に移動自在に設けられる。
【００２３】
冷蔵庫１は、冷凍室４の背面部に形成される冷却器室２６内に設置される冷凍サイクルの冷却器２４と、冷却器２４で冷却された冷気を冷蔵室３、冷凍室４、野菜室５へ循環する送風機２５と、冷却器２４の除霜用ガラス管ヒータ２７とをさらに含む。冷却器２４の除霜水は、排水管を通って蒸発皿２２へ導かれ、蒸発皿２２にて蒸発される。
【００２４】
冷蔵室３と冷凍室４とは断熱仕切り壁２８にて区画される。断熱仕切り壁２８は、図４に示すように、インジェクション成形された合成樹脂製の冷蔵室３の底板２９と、インジェクション成形された合成樹脂製の冷凍室４の天井板３０と、底板２９と天井板３０との間に挟持される断熱材とによって構成される。断熱材は、予め所定形状に成形された発泡スチロールなどで実現される。断熱仕切り壁２８は、冷蔵庫本体２の内箱２Ｂの左右側壁に前後方向に伸びて形成される溝と、内箱２Ｂの後壁に形成される溝とに、冷蔵庫本体２の開口部から挿入して取り付けられる。
【００２５】
冷蔵庫１は、背壁部材３２を含む。背壁部材３２は、冷蔵庫本体２の後方の背壁の前面側に配設される冷蔵室３の背壁部材であり、合成樹脂製背面板とその裏側に取り付けられる発泡スチロール等の断熱材との組み合わせで構成される。背壁部材３２は、冷蔵室３の背面側に上下方向の冷気供給通路３５と、冷気供給通路３５の左右方向にそれぞれ設けられる冷気通路３５Ａとを形成する。
【００２６】
断熱仕切り壁２８の後部には、断熱仕切り壁２８を上下に貫通した冷気供給通路３６が形成される。冷気供給通路３６は、その下部が送風機２５から供給される冷気の導入部であり、上部が冷気供給通路３５に連通する。冷気供給通路３６にはダンパ装置５０が取り付けられる。ダンパ装置５０は、冷蔵室３の温度を感知するセンサの検知結果に基づく制御回路部からの指令によって冷気供給通路３６を開閉動作する。ダンパ装置５０の開閉動作によって、冷気の流量が制御され、冷蔵室３は所定の温度に保たれる。
【００２７】
冷凍室４内は区画板４７によって、製氷室を構成する製氷部６と冷凍庫室４Ａとに区分される。製氷部６には、自動製氷機７と貯氷箱８が設けられる。自動製氷機７は、電動機構７Ａと、電動機構７Ａによって前後方向に延びる略水平な軸線上で正転及び逆転する製氷皿７Ｂを備える。製氷皿７Ｂの下方には上面が開口する貯氷箱８が配置される。製氷部６は、後述する貯水容器９から供給される製氷用水を凍結させて氷を製造する領域である。製氷部６は、冷凍室４内と略同等の温度、例えば、氷点下２０℃前後の冷凍温度領域である。
【００２８】
製氷皿７Ｂは、前後方向に長く延びる長手方向を列として、一列に４個、５個、又は６個の製氷小室に区分され、左右２列配置され、８乃至１２個の角型氷を作る合成樹脂製である。また、貯氷箱８は、白色、透明、半透明又はその他の色の合成樹脂製であり、左右幅に比して奥行きが長い上面開口の箱状である。
【００２９】
製氷部６の左右側壁には、一対のレール６Ａが設けられる。貯氷箱８は、レール６Ａに前後方向へ引き出し自在に支持される。製氷皿７Ｂは、電動機構７Ａによって回転駆動され、製氷した氷を貯氷箱８に供給する。
【００３０】
貯氷箱８は、扉１２を開くことによって前方へ引き出し可能である。製氷部６と冷凍庫室４Ａの開口部は、それぞれ別個の扉にて開閉可能に閉じる構成でもよい。
【００３１】
図３に示すように、本発明に係る自動製氷装置Ａは、自動製氷機７と給水装置Ｂとを有する。給水装置Ｂは、貯水容器９と、貯水容器９から製氷用水を送り出すための圧縮空気を貯水容器９へ供給するポンプ装置６０とを備える。給水装置Ｂは、冷蔵室３の一部に設けた貯水容器収容部４６に配置する。
【００３２】
製氷皿７Ｂへ供給する製氷用水を貯める貯水容器９は、冷蔵室３内を区画壁４５で仕切った小室の貯水容器収容部４６に配置する。貯水容器収容部４６は冷蔵室３の一部領域であり、冷蔵室３は凍結しない例えば２〜４℃の冷却温度に冷却される。このため、貯水容器収容部４６も略同等の温度に冷却される。貯水容器９は、冷蔵室３の前面扉１０を開いた状態で、底板２９の上面をスライド面として、前面の取っ手９Ｔによって前方へ取り出すことができる。
【００３３】
貯水容器収容部４６と製氷部６は、断熱仕切り壁２８にて区画される。断熱仕切り壁２８には、給水装置Ｂから供給する製氷用水が自然流下するように製氷用水供給路５１を上下方向に貫通形成する。製氷用水供給路５１は、給水管５１Ｐによって、製氷用水供給路５１の入り口部を形成する。製氷用水は貯水容器９から製氷用水供給路５１を介して自動製氷機７の製氷皿７Ｂへ供給される。
【００３４】
先ず、貯水容器９について説明する。
図４は本発明に係る給水装置と自動製氷機との関係を説明するための断面斜視図である。図５は本発明に係る給水装置の貯水容器のスライド構成を説明するための断面斜視図である。図６は本発明に係る貯水容器の外観斜視図である。図７は本発明に係る貯水容器の内部構成を説明するための縦断側面図である。図８は本発明に係る貯水容器の内部構成を説明するため供給孔部分を断面で示す縦断側面斜視図である。図９は本発明に係る貯水容器の内部構成を説明するため供給孔部分を断面で示す縦断側面図である。図１０は本発明に係る貯水容器の分解図斜視図である。図１１は本発明に係る貯水容器の容器本体の上面斜視図である。図１２は本発明に係る貯水容器の容器本体の平面図である。図１３は本発明に係る貯水容器の仕切り体の一方向からの斜視図である。図１４は本発明に係る貯水容器の仕切り体の他の方向からの斜視図である。図１５は本発明に係る貯水容器の仕切り体の下方からの斜視図である。図１６は本発明に係る貯水容器の容器本体内に仕切り体を挿入した状態の上面斜視図である。図１７（Ａ）は本発明に係る貯水容器の容器本体内に仕切り体を挿入した状態の平面図であり、図１７（Ｂ）は図１７（Ａ）のＣ円の拡大図である。
【００３５】
本発明の貯水容器９は、上方に開口する開口部９Ａ２を有する容器本体９Ａと、容器本体９Ａの開口部９Ａ２に取り付けられ容器本体９Ａの開口部９Ａ２を塞ぐ蓋体９Ｃと、を有する。
貯水容器９は、更に、容器本体９Ａ内に収容され容器本体９Ａの内部空間を、製氷用水を貯留する主タンク部９０と、製氷皿７Ｂに供給すべき予め定める容量の製氷用水を貯留する計量タンク部９１とに区画し、主タンク部９０と計量タンク部９１とに連通する供給孔９２が形成される仕切り壁を有する。実施形態は、この仕切り壁を容器本体９Ａに着脱自在に収容される仕切り体９Ｂで構成し、仕切り体９Ｂに主タンク部９０と計量タンク部９１とに連通する供給孔９２が形成される。
貯水容器９は、更に、計量タンク部９１に連通する圧縮空気導入部９１Ａと、計量タンク部９１に連通し計量タンク部９１内の製氷用水を製氷皿７Ｂに導く製氷用水導出部９１Ｂと、を有する。圧縮空気導入部９１Ａへ供給される圧縮空気は、後述のポンプ装置６０によって供給される。
【００３６】
このような構成において、本発明の目的を達成する技術として、貯水容器９は、圧縮空気導入部９１Ａを計量タンク部９１の一側部に配置し、供給孔９２と製氷用水導出部９１Ｂを計量タンク部９１の他側部に配置する。
【００３７】
また、本発明の目的を達成する技術として、供給孔９２は、製氷用水導出部９１Ｂよりも圧縮空気導入部９１Ａから離間して設けられる。
【００３８】
また、本発明の目的を達成する技術として、計量タンク部９１は、四辺形状の形態をなし、いずれか
のコーナ部に圧縮空気導入部９１Ａを配置し、その対角のコーナ部に供給孔９２を配置する。
【００３９】
更に、本発明の目的を達成する技術として、仕切り体９Ｂは、供給孔９２と、圧縮空気導入部９１Ａ
と、製氷用水導出部９１Ｂを有し、容器本体９Ａ内に着脱自在である。
【００４０】
以下、本発明の貯水容器９の具体的な構成について説明する。
貯水容器９の形態は、円形状、楕円形状、長円形状、四辺形状、多角形状等の種々の形状、構造のものが適用できる。また、ポンプ装置６０の圧縮空気によって製氷皿７Ｂへ押し出される製氷用水を溜める計量タンク部９１の形態も、円形状、楕円形状、長円形状、四辺形状、多角形状等の種々の形態が適用できる。
【００４１】
本発明は、貯水容器９の形態及び計量タンク部９１の形態が上記のいずれの形態であっても、貯水容器９は、供給孔９２と、計量タンク部９１に連通する圧縮空気導入部９１Ａと、計量タンク部９１に連通し計量タンク部９１内の製氷用水を製氷皿７Ｂに導く製氷用水導出部９１Ｂと、を有する。その一つの技術として、圧縮空気導入部９１Ａを計量タンク部９１の一側部に配置し、供給孔９２と製氷用水導出部９１Ｂを計量タンク部９１の他側部に配置する。
【００４２】
好ましくは、供給孔９２は、製氷用水導出部９１Ｂよりも圧縮空気導入部９１Ａから離間して設けられる。図１７（Ａ）に示すように、圧縮空気導入部９１Ａの中心に対して、供給孔９２の中心までの距離Ｌ２が、製氷用水導出部９１Ｂの中心までの距離Ｌ１よりも長く遠い位置である。
【００４３】
図１２等に示すように、計量タンク部９１が、上面視で４個のコーナ部Ｋ１〜Ｋ４を形成する四辺形状の場合は、いずれかのコーナ部に圧縮空気導入部９１Ａを配置し、その対角のコーナ部に供給孔９２を配置する。
【００４４】
好ましい配置として、４個のコーナ部Ｋ１〜Ｋ４のうち、一方の辺ＨＲの二つのコーナ部Ｋ１、Ｋ４のうちの一つのコーナ部Ｋ１に、計量タンク部９１への圧縮空気導入部９１Ａを配置する。また、前記一方の辺ＨＲと対向する他方の辺ＨＦ側の二つのコーナ部Ｋ２、Ｋ３のうち、圧縮空気導入部９１Ａに近い側のコーナ部Ｋ２に製氷用水導出部９１Ｂを配置し、圧縮空気導入部９１Ａから遠い側のコーナ部Ｋ３に供給孔９２を配置する。
【００４５】
図示のように、計量タンク部９１が、上面視で４個のコーナ部Ｋ１〜Ｋ４を形成する矩形状の場合、上面視で一対の短辺ＨＦ、ＨＲと一対の長辺ＨＳ、ＨＴを有する矩形状をなし、一対の短辺ＨＦ、ＨＲと一対の長辺ＨＳ、ＨＴが交差するコーナ部のうち、一方の短辺ＨＲ側のコーナ部Ｋ１、Ｋ４のうちの一つのコーナ部Ｋ１に計量タンク部９１への圧縮空気導入部９１Ａを配置する。また、他方の短辺ＨＦ側のコーナ部Ｋ２、Ｋ３のうち、圧縮空気導入部９１Ａに近い側のコーナ部Ｋ２に製氷用水導出部９１Ｂを配置し、圧縮空気導入部９１Ａから遠い側のコーナ部Ｋ３に供給孔９２を配置する。後述の環状パッキン１１７も、計量タンク部９１の周縁形状と同様に、上面視で一対の短辺と一対の長辺を備える矩形状をなす。
【００４６】
本発明の貯水容器９は、計量タンク部９１から製氷皿７Ｂへ製氷用水を供給する際、主タンク部９０の製氷用水が計量タンク部９１へ余分に流下することを低減するために、計量タンク部９１の製氷用水の水位に応じて供給孔９２を開閉可能に設けられるフロート体９３を有する。これによって、計量タンク部９１の製氷用水の水位が所定の低水位になるまでは、フロート体９３が供給孔９２を閉じた状態である。このため、供給孔９２を通って主タンク部９０から計量タンク部９１へ流下することを、フロート体９３によって防止できる。更に、供給孔９２を通って計量タンク部９１に貯留された製氷用水の一部が主タンク部９０へ逆流することを、フロート体９３によって防止できる。
【００４７】
上記のように、圧縮空気導入部９１Ａを計量タンク部９１の一側部に配置し、供給孔９２と製氷用水導出部９１Ｂを計量タンク部９１の他側部に配置する。また、計量タンク部９１は四辺形状の形態をなし、いずれかのコーナ部に圧縮空気導入部９１Ａを配置し、その対角のコーナ部に供給孔９２を配置する。これによって、供給孔９２と製氷用水導出部９１Ｂが、圧縮空気導入部９１Ａから離間した配置となる。このため、フロート体９３に対し、圧縮空気導入部９１Ａから導入される圧縮空気の影響を低減でき、フロート体９３が供給孔９２を閉じる動作が安定する。更に、供給孔９２を製氷用水導出部９１Ｂよりも圧縮空気導入部９１Ａから離間して設けることにより、フロート体９３の開閉動作を一層安定させることができ、圧縮空気が供給孔９２から漏れ出すことを防ぐことができる。
【００４８】
貯水容器９の使用性、製作性、主タンク部９０の容積の確保、計量タンク部９１の容積の確保、冷蔵庫１への収容性、貯水容器９の収容により冷蔵室３を占める容積の減少割合等を考慮した場合、好ましい形態の一つとして、貯水容器９は、左右幅に比して前後方向の長さが長い矩形状形態となる。
以下、この形態の貯水容器９について詳細を記載する。
【００４９】
図示のように、貯水容器９は、短辺側となる左右方向の長さ（横幅）に比して、長辺側となる前後方向の長さ（奥行き）が十分長く、上面視で前後方向に長い矩形状をなし、全体形状が前後方向に長い直
方形状である。
【００５０】
この形状に合わせて、貯水容器９は、製氷用水を貯留する前後方向に長い主タンク部９０を形成する上方に開口する開口部９Ａ２を有する容器本体９Ａと、容器本体９Ａ内に挿入され主タンク部９０の直下に計量タンク部９１を区画形成する仕切り体９Ｂと、容器本体９Ａの開口部９Ａ２を塞ぐように容器本体９Ａに着脱自在に取り付ける蓋体９Ｃとを有する。
【００５１】
図１２に示すように、計量タンク部９１は、上面視で、前後方向に長い矩形状をなし、四隅のコーナ部Ｋ１〜Ｋ４は円弧をなす。図１７（Ａ）に示すように、計量タンク部９１の一側部、即ち前後に位置する短辺ＨＦ、ＨＲのうち後部の短辺ＨＲ側に、圧縮空気導入部９１Ａを配置する。また、計量タンク部９１の他側部、即ち前後に位置する短辺ＨＦ、ＨＲのうち前部の短辺ＨＦ側に、供給孔９２と製氷用水導出部９１Ｂを離間配置する。
【００５２】
この具体的配置は、図１７（Ａ）に示すように、前後に位置する短辺ＨＦ、ＨＲのうち、後部の短辺ＨＲの左右コーナ部Ｋ１、Ｋ４の一方のコーナ部Ｋ１に圧縮空気導入部９１Ａを配置する。また、前部の短辺ＨＦの左右のコーナ部Ｋ２、Ｋ３のうち、圧縮空気導入部９１Ａに近い側のコーナ部Ｋ２に製氷用水導出部９１Ｂを配置し、圧縮空気導入部９１Ａから遠い側のコーナ部Ｋ３に供給孔９２を配置する。製氷用水導出部９１Ｂと供給孔９２は、相互に離れた位置にあり、圧縮空気導入部９１Ａに対して供給孔９２が製氷用水導出部９１Ｂよりも遠方配置である。計量タンク部９１には、自動製氷機７による１回の製氷に必要な規定量の製氷用水を貯溜する。１回の製氷に要する規定量は、製氷皿７Ｂが規定水位となる量である。
【００５３】
この形態の貯水容器９の場合も、上記同様に、フロート体９３に対し、圧縮空気導入部９１Ａから導入される圧縮空気の影響を低減できることとなり、フロート体９３が供給孔９２を閉じる動作が安定する。更に、供給孔９２を製氷用水導出部９１Ｂよりも圧縮空気導入部９１Ａから離間して設けることにより、一層安定した動作が得られる。
【００５４】
図１３〜図１５、図１７（Ａ）に示すように、供給孔９２、圧縮空気導入部９１Ａ、及び製氷用水導出部９１Ｂが仕切り体９Ｂに貫通形成される。このため、供給孔９２、圧縮空気導入部９１Ａ、及び製氷用水導出部９１Ｂの相互配置が定め易くなる。
【００５５】
図４、図５、及び図７に示すように、ポンプ装置６０の圧縮空気を計量タンク部９１に導入する圧縮空気導入路９４は、仕切り体９Ｂに貫通形成した圧縮空気導入部９１Ａと、蓋体９Ｃから後方へ延出しポンプ装置６０の前面の空気吐出口６３に着脱自在に接続される圧縮空気誘導パイプ９６と、上端部が環状パッキン１１６を介して圧縮空気誘導パイプ９６と連通し下端部が圧縮空気導入部９１Ａと連通するように、仕切り体９Ｂに立設した圧縮空気導入パイプ９７とで構成する。実施例では、圧縮空気導入パイプ９７は、圧縮空気導入部９１Ａとともに仕切り体９Ｂに一体成形され、円形状の圧縮空気導入部９１Ａと同径（成型上緩やかな抜き勾配はある）で、円形状の圧縮空気導入パイプ９７が立ち上がる。
【００５６】
計量タンク部９１から製氷皿７Ｂへ向けて製氷用水を導出する製氷用水導出路９５は、製氷用水導出部９１Ｂと、下端部が製氷用水導出部９１Ｂに連通するように仕切り体９Ｂに立設した製氷用水導出パイプ９９と、下端部が製氷用水供給路５１へ臨むように容器本体９Ａに立設した製氷用水誘導パイプ９８と、製氷用水導出パイプ９９の上端部と製氷用水誘導パイプ９８の上端部とを連通する連通路１００とで構成する。これによって、製氷用水導出路９５は、上方に逆Ｕ字状または門型に屈曲した通路を構成する。
【００５７】
図７に示すように、一回の製氷に必要な規定量の製氷用水をポンプ装置６０の圧縮空気によって製氷皿７Ｂへ押し出すために、製氷用水導出パイプ９９と連通するように、仕切り体９Ｂから下方へ延出した出口パイプ９９Ｐの下端の開口でもって、製氷用水導出部９１Ｂが形成される。この出口パイプ９９Ｐの下端の開口は、計量タンク部９１の内底面に近接した位置に開口する。容器本体９Ａの内底面９Ａ１に相当する計量タンク部９１の内底面９Ａ１と、出口パイプ９９Ｐの下端との間に、製氷用水が流出する間隔ＴＰを形成する。実施例では、円形状の製氷用水導出パイプ９９と円形状の出口パイプ９９Ｐは、内径が同等の一連のパイプを形成する。このため、円形状の製氷用水導出部９１Ｂと同径（成型上緩やかな抜き勾配はある）で、円形状の出口パイプ９９Ｐが立ち上がり、円形状の製氷用水導出パイプ９９に連通する。
【００５８】
実施例では、出口パイプ９９Ｐは、製氷用水導出パイプ９９と同じ内径で製氷用水導出パイプ９９と連通し、仕切り体９Ｂと一体成形である。
【００５９】
図１３〜図１７（Ａ）及び（Ｂ）に示すように、連通路１００は、横方向に延びた筒状体の略下半分を残して上面開口の開渠状連通路である。連通路１００は、製氷用水誘導パイプ９８の上端部に、四角形状の升状に拡大する上面開口の開渠部１００Ａと、製氷用水導出パイプ９９の上端部から前方に延出する上面開口の開渠部１００Ｂとから構成する。開渠部１００Ａは、その後壁に切欠き状の連結壁１００Ｍを形成する。開渠部１００Ｂは、底壁及び左右壁が拡大する先端部１００Ｐを有し、その先端部１００Ｐの根元側の外周に連結溝１００Ｎを形成する。
【００６０】
図１６、図１７（Ａ）及び（Ｂ）に示すように、容器本体９Ａ内への仕切り体９Ｂの挿入によって、開渠部１００Ａに開渠部１００Ｂが載り、連結壁１００Ｍが連結溝１００Ｎに嵌合する。この状態で、開渠部１００Ｂの先端部１００Ｐが開渠部１００Ａ内に進入する状態で、両者が連結し、連続した連通路１００を形成する。容器本体９Ａに取り付けた蓋体９Ｃによって、連通路１００の上面開口が塞がれ、横方向に延びた連通路１００となる。連通路１００は、製氷用水導出パイプ９９側から製氷用水誘導パイプ９８側へ向けて低く傾斜する。このため、計量タンク部９１から製氷用水供給路５１へ向けた製氷用水の流れが良好となり、且つ水切りが良好となる。
【００６１】
容器本体９Ａ、仕切り体９Ｂ、蓋体９Ｃを合成樹脂成形する場合、それに関連する圧縮空気導入路９４、製氷用水導出路９５等を合成樹脂にて一体成形する。この場合、連通路１００を含めて製氷用水導出路９５全体を暗渠通路とすることは、成形金型や成形方法等が複雑になり、大きなコストアップとなる。上記のように、製氷用水導出路９５が上方に逆Ｕ字状または門型に屈曲した通路を構成しており、その連通路１００は、製氷用水誘導パイプ９８側の上面開口の開渠部１００Ａと、製氷用水導出パイプ９９側の上面開口の開渠部１００Ｂで構成するため、上記のように各部を合成樹脂成形する場合も、成形金型や成形方法等が簡単になり、低コスト化が達成できる。
【００６２】
開渠部１００Ａと開渠部１００Ｂとの連結部に、シール用パッキンを用いる方法もあるが、その場合は、このシール用パッキン部に残った水が腐敗してカビが発生する虞がある。本発明は、上記のように、容器本体９Ａ内への仕切り体９Ｂの挿入に伴って、開渠部１００Ａの先端部に開渠部１００Ｂの先端部が載り、開渠部１００Ｂの先端部１００Ｐが開渠部１００Ａ内に進入する状態である。このため、シール用パッキンを用いることなく、製氷用水導出路９５を流れる製氷用水の水漏れを防止できる。また、容器本体９Ａ内から仕切り体９Ｂを取り外せば、開渠部１００Ａと開渠部１００Ｂを洗浄できるため、カビの発生を防ぐことができる。更に、仕切り体９Ｂの挿入に伴って、開渠部１００Ａと開渠部１００Ｂの連結ができるため、両開渠部の連結作業が簡素化される。このため、連通路１００の部分の連結と分離がし易く、洗浄もし易くなるため、組み立て、分解がし易く、衛生的な連通路１００となる。
【００６３】
また、製氷用水導出路９５が上方に逆Ｕ字状または門型に屈曲した通路を構成することにより、製氷部６の冷凍冷気が製氷用水供給路５１を上昇して計量タンク部９１へ逆流することを抑制できる効果がある。更に、圧縮空気導入路９４は、圧縮空気導入部９１Ａから立ち上がり、製氷用水導出路９５は、製氷用水導出部９１Ｂから導出する製氷用水が上昇し下降する流れとなる形態である。このため、貯水容器９を貯水容器収容部４６へ収容するときや、冷蔵庫扉１０を開閉する際などの振動によって、計量タンク部９１の製氷用水が、製氷用水供給路５１やポンプ装置６０の空気吐出口６３へ漏出することを防止できる。
この漏出防止効果の向上のために、連通路１００内の底面レベル１００Ｌ、及び圧縮空気誘導パイプ９６の底面レベル９６Ｌは、貯水容器９内の製氷用水満杯レベルＷＬよりも若干上位とする。貯水容器９内の製氷用水満杯レベルＷＬは、即ち、主タンク部９０の製氷用水満杯レベルであり、給水口１０４の下部に設けた水平辺１０４Ａのレベルに定めている。
【００６４】
次に、供給孔９２とフロート体９３の関係について説明する。
図１５に示すように、供給孔９２は矩形状の孔の中央部に拡大部９２Ａを有する形状である。図１７（Ａ）、図１８に示すように、フロート体９３の上面中央部に、この矩形状の供給孔９２を通り抜ける大きさの略Ｔ字状の支持部９３Ａを有する。このため、供給孔９２の矩形状に沿って下方から支持部９３Ａを供給孔９２に通した状態で、フロート体９３を略９０度回すことにより、支持部９３Ａの上端部の係止辺９３Ｐが、供給孔９２の拡大部９２Ａの上縁部に係止し、フロート体９３を落下しない状態に保持する。この状態で、支持部９３Ａの縦方向軸部９３Ｑが供給孔９２の拡大部９２Ａに遊嵌状態である。このため、フロート体９３は、計量タンク部９１の水位によって上下動可能である。
【００６５】
この構成によって、計量タンク部９１の水位が所定の満杯状態になる前は、フロート体９３が下降しており、主タンク部９０の製氷用水が、支持部９３Ａの周囲から供給孔９２を通り、フロート体９３の周囲を通って計量タンク部９１へ自然流下する。計量タンク部９１の水位が満杯へ向けて上昇することにより、フロート体９３が上昇し、計量タンク部９１が所定の満杯になれば、図１９に示すように、フロート体９３の上面が、供給孔９２の周囲で仕切り体９Ｂの下面に当接し、供給孔９２を閉じる。
【００６６】
製氷工程の開始により、ポンプ装置６０が稼働し、圧縮空気が圧縮空気導入部９１Ａから流入し、計量タンク部９１の製氷用水を押し出す。この押し出しに伴って計量タンク部９１内の水位が徐々に低下するが、計量タンク部９１が所定の低水位になるまでは、フロート体９３が供給孔９２を閉じたままの状態を維持する。このように、フロート体９３の浮力を設定する。それによって、計量タンク部９１から押し出す規定量を超えた量の製氷用水の押し出しを制限できる。
【００６７】
計量タンク部９１内の水位が低下して所定の低水位になると、フロート体９３が供給孔９２を開く状態となるが、そのとき、フロート体９３が直ちに下降するのではなく、若干遅れて下降する。それは、フロート体９３の上面と仕切り体９Ｂの下面との間に存在する水の付着作用によって、フロート体９３が供給孔９２を閉じたままの状態を維持する。フロート体９３の重量とこの付着作用とのバランスが崩れたとき、この維持作用が無くなり、遂にフロート体９３が降下して供給孔９２を開く。供給孔９２を開くことにより僅かな量が供給孔９２から流下しても、その時は既に、計量タンク部９１から規定量の略全量の製氷用水が製氷皿７Ｂへ押し出された状態であるため、この僅かな量が供給孔９２から流下しても、規定量の製氷用水の押し出しには殆んど影響しない。
【００６８】
実施例では、一回の製氷に必要な規定量は８０ｃｃであり、計量タンク部９１はこの規定量を確保する容積である。一回の製氷に必要な規定量の８０ｃｃの押し出しは、空気ポンプ６１の稼働時間によって定めている。実施例では、１５秒間の稼働によって得ている。
【００６９】
本発明は、給水管５１内に、ソレノイド及びそれによって上下作動する作動部材を設けない、新規な製氷用水の給水装置Ｂとし、給水管５１Ｐを上昇する製氷部６の氷点下の冷気によって、貯水容器９内の水が凍結することを防止する技術を提供する。以下、その詳細を記載する。図２０は整流体１３０の配設状態を示す断面図、図２１は整流体の斜視図、図２２は上面斜視図、図２３は給水管および整流体の横断面図である。
【００７０】
給水管５１Ｐは、上端部に鍔部５１Ｙを形成し、給水管５１Ｐの軸線である管軸ＰＬに対する横断面が円形状の内面形状のパイプであり、上方へ向けて拡大する漏斗状の製氷用水入口部５１Ａを形成した直管状のパイプである。給水管５１Ｐは合成樹脂製である。断熱仕切り壁２８を貫通する孔に給水管５１Ｐを嵌め込み、断熱仕切り壁２８を構成する冷蔵室３の底板２９に鍔部５１Ｙが載置された状態で、鍔部５１Ｙから下方へ突出した位置決め突起５１Ｚが、冷蔵室３の底板２９に形成した窪みまたは孔（図示せず）に嵌ることにより、製氷用水出口部５１Ｃが断熱仕切り壁２８から下方へ若干突出した状態で、給水管５１Ｐが所定の位置に取り付けられる。
【００７１】
図２０に示すように、給水管５１Ｐ内には、給水管５１Ｐの内面との間に上下に貫通する製氷用水通路１３３を形成する整流体１３０が、給水管５１Ｐの長さ方向に収容されている。製氷用水通路１３３は、給水管５１Ｐの内面と整流体１３０との間に円形環状の通路であってもよいが、実施例では、給水管５１Ｐの中心軸線である管軸ＰＬと略同軸状態に整流体１３０を支持し、整流体１３０の周囲に略均一な製氷用水通路１３３を形成する構成をなす。
【００７２】
給水管５１Ｐの中心軸線である管軸ＰＬの方向に並列の製氷用水通路１３３を形成するために、外面に複数本のリブ１３１を形成した合成樹脂製の整流体１３０が、給水管５１Ｐに対して着脱自在に支持されている。整流体１３０は、製氷用水通路１３３の上面を覆う円形状のカバー部１３２を上部に一体形成している。整流体１３０は、製氷用水通路１３３に連通する製氷用水流入路１３４が、カバー部１３２の周囲に形成される状態となるように、整流体１３０を支持する複数の支持部１３５が給水管１３０の内部上部に一体形成している。支持部１３５は、製氷用水入口部５１Ａ内に略均等間隔に突出して形成される。カバー部１３２が支持部１３５に支持された状態で、カバー部１３２が給水管５１Ｐから上方へ突出しない状態で、製氷用水入口部５１Ａ内にカバー部１３２が位置する。この状態で、製氷用水入口部５１Ａの内面とカバー部１３２の全周囲との間に、製氷用水流入路１３４が形成される。
【００７３】
整流体１３０のリブ１３１は、少なくとも３本であり、このリブ１３１が給水管５１Ｐの内面に当接し、給水管５１Ｐの中心軸線である管軸ＰＬと略同軸状態に整流体１３０が配置され、整流体１３０は給水管５１Ｐの中央部に維持される。図２０に示すように、整流体１３０の下端部１３０Ｐは、中心部へ製氷用水を収束させつつ製氷皿７Ｂへ導入するために、側面視で略４５度の角度rでもって円錐形状に整流体１３０の中央軸線方向へ収斂する先端形状である。カバー部１３２が支持部１３５に支持され、整流体１３０が給水管５１内に支持された状態で、整流体１３０の略円錐形状の下端部１３０Ｐは、図２０に示すように、給水管５１Ｐの下端から下方へ突出した状態である。
【００７４】
上記の構成によって、製氷用水吐出路９５の出口９５Ｄと、製氷用水入口部５１Ａは略同軸上の配置であるため、製氷用水吐出路９５の出口９５Ｄから流出する製氷用水は、全て製氷用水入口部５１Ａ内へ導入され、略均一に製氷用水流入路１３４へ流入し、製氷用水通路１３３を流下することにより、整流体１３０の下端部から製氷用水を収束状態で製氷皿７Ｂへ導入できる。
【００７５】
本発明では、給水管５１Ｐ内に挿入支持された整流体１３０と給水管５１Ｐの内面との間に、給水管５１Ｐの管軸方向の製氷用水通路を形成するため、給水管５１Ｐ内の空間が整流体１３０によって制限されるため、給水管５１Ｐ内を上昇しようとする製氷部７の氷点下の冷気の上昇抵抗が大きくなり、貯水容器９内の水の凍結を防止することができる。また、リブ１３１間に給水管５１Ｐの管軸方向に並列の製氷用水通路１３３を形成する場合は、リブ１３１によって、給水管５１Ｐ内に整流体１３０の周囲にほぼ均等配置に並列の製氷用水通路１３３を形成することができ、氷点下の冷気の上昇の抑制効果と、製氷用のスムースな流下効果の両方が同時に達成できる。
【００７６】
更に、整流体１３０は、製氷用水通路１３３の上面を覆うカバー部１３２を上部に備え、整流体１３０が支持部１３５に支持された状態で、製氷用水通路１３３に連通する製氷用水流入路１３４が、カバー部１３２の周囲に形成される。このため、製氷用水吐出路９５から流下する製氷用水は、製氷用水流入路１３４から製氷用水通路１３３にスムースに流れ、一方、氷点下の冷気の上昇は、このカバー部１３２によって上昇抵抗を受けるため、氷点下の冷気の上昇抑制効果が発揮できる。これは、製氷用水通路１３３が整流体１３０の全周に環状形成されたもの、またはリブ１３１によって並列に形成されたもののいずれでも、同様の効果が発揮できる。
【００７７】
なお、給水管５１Ｐ内に残った水滴が凍結するのを防止するためには、給水管５１Ｐの周囲に電気ヒータ５１Ｈを配置して、給水管５１Ｐを加温するようにすればよい。
【００７８】
本発明は、種々の形態の冷蔵庫に適用して効果があるため、上記実施例に記載した形態に限らない。このため、本発明の趣旨の範囲内において、種々の形態の冷蔵庫に適用可能である。
【符号の説明】
【００７９】
Ａ・・・・・自動製氷装置
Ｂ・・・・・給水装置
１・・・・・・冷蔵庫
２・・・・・・冷蔵庫本体
３・・・・・・冷蔵室
４・・・・・・冷凍室
６・・・・・・製氷部
７・・・・・・自動製氷機
７Ｂ・・・・・製氷皿
８・・・・・・貯氷箱
９・・・・・・貯水容器
９Ａ・・・・・容器本体
９Ａ３・・・・係止部
９Ａ１・・・・容器本体の内底面
９Ｂ・・・・・仕切り体
９ＢＦ・・・・押圧フランジ
９ＢＴ・・・・支え突起
９Ｃ・・・・・蓋体
９Ｔ・・・・・取っ手
２８・・・・・断熱仕切り壁
３２・・・・・冷蔵室の背壁部材
４６・・・・・貯水容器収容部
４６Ａ・・・・係止段部
５１・・・・・製氷用水供給路
６０・・・・・ポンプ装置
６０Ｕ・・・・空気ポンプユニット
６１・・・・・空気ポンプ
６２・・・・・本体ケース
６３・・・・・空気吐出口
６３Ａ・・・・空気導出パイプ
６３Ｂ・・・・ガスケット
６３Ｃ・・・・空気吐出路
６３Ｄ・・・・防塵フィルタ
６５・・・・・外装ケース
９０・・・・・主タンク部
９０Ｐ・・・・パッキン保持部
９０Ｐ１・・・環状突起
９０Ｐ２・・・環状溝
９０Ｐ３・・・当接部
９０Ｐ４・・・保持突起
９１・・・・・計量タンク部
９１Ａ・・・・圧縮空気導入部
９１Ｂ・・・・製氷用水吐出部
９２・・・・・供給孔
９３・・・・・フロート体  
９４・・・・・圧縮空気導入路
９５・・・・・製氷用水吐出路
９６・・・・・圧縮空気誘導パイプ
９７・・・・・圧縮空気導入パイプ
９８・・・・・製氷用水誘導パイプ
９９・・・・・製氷用水導出パイプ
９９Ｐ・・・・出口パイプ
１００・・・・連通路
１００Ａ・・・開渠部
１００Ｂ・・・開渠部
１０４・・・・給水口
１０５・・・・キャップ
１１０・・・・係合突起
１１１・・・・係合溝
１１１Ａ・・・係合溝の内側壁
１１１Ｂ・・・係合溝の外側壁
１１２・・・・傾斜面
１１５・・・・環状パッキン
１１６・・・・環状パッキン
１１７・・・・環状パッキン
１１７Ｄ・・・取り付け溝
１１７Ｑ・・・肩部
１１７Ｒ１・・外側環状リブ
１１７Ｒ２・・内側環状リブ
１１７Ｔ・・・ヒレ部
１２１・・・・障壁
１２２・・・・製氷用水流出部
１２５・・・・空気排出溝
１２５Ａ・・・膨出溝
１３０・・・・整流体
１３１・・・・リブ
１３２・・・・カバー部
１３３・・・・製氷用水通路
１３４・・・・製氷用水流入路
１３５・・・・支持部
【図１】
0006543465.tif 000002
【図２】
0006543465.tif 000003
【図３】
0006543465.tif 000004
【図４】
0006543465.tif 000005
【図５】
0006543465.tif 000006
【図６】
0006543465.tif 000007
【図７】
0006543465.tif 000008
【図８】
0006543465.tif 000009
【図９】
0006543465.tif 000010
【図１０】
0006543465.tif 000011
【図１１】
0006543465.tif 000012
【図１２】
0006543465.tif 000013
【図１３】
0006543465.tif 000014
【図１４】
0006543465.tif 000015
【図１５】
0006543465.tif 000016
【図１６】
0006543465.tif 000017
【図１７】
0006543465.tif 000018
【図１８】
0006543465.tif 000019
【図１９】
0006543465.tif 000020
【図２０】
0006543465.tif 000021
【図２１】
0006543465.tif 000022
【図２２】
0006543465.tif 000023
【図２３】
0006543465.tif 000024